(57)【要約】【課題】亀裂及びシール破壊がおきることなく、無菌状態を終始維持することができる医療用バッグのプロテクターを提供すること。【解決手段】プロテクター本体（２）中腹部の斜断方向に破断開始点（３Ｉ）と破断終点（３Ｅ）を有する線状の切欠溝（３）を形成し、該切欠溝（３）よりも上側部に把持部（４）を形成し、該把持部（４）の下部に大アール部（Ｒ）と小アール部（ｒ）を形成し、該小アール部（ｒ）の開始点（ｒｉ）と終点（ｒｅ）の間に、前記破断開始点（３Ｉ）を形成した医療用バッグのプロテクター（１）。【選択図】図１
2004016684.tif 000002
【特許請求の範囲】
【請求項１】
プロテクター本体（２）中腹部の斜断方向に破断開始点（３Ｉ）と破断終点（３Ｅ）を有する線状の切欠溝（３）を形成し、該切欠溝（３）よりも上側部に把持部（４）を形成し、該把持部（４）の下部に大アール部（Ｒ）と小アール部（ｒ）を形成し、該小アール部（ｒ）の開始点（ｒｉ）と終点（ｒｅ）の間に、前記破断開始点（３Ｉ）を形成した、ことを特徴とする医療用バッグのプロテクター（１）。
【請求項２】
プロテクター本体（２）中腹部の斜断方向に破断開始点（３Ｉ）と破断終点（３Ｅ）を有する線状の切欠溝（３）を形成し、該切欠溝（３）よりも上側部に把持部（４）を形成し、切欠溝（３）の開始点（３Ｉ）に隣接する把持部（４）の下部湾曲ライン（ＵＲＬ）の略直線部（ＬＬ）は、プロテクター本体（２）の縦方向ライン（Ｌ）に対して鈍角（θ１）となるように形成した、ことを特徴とする医療用バッグのプロテクター（１）。
【請求項３】
可とう性の合成樹脂からなる二枚のシートを重ね合せて溶着することにより形成され、バッグ本体（１２）と請求項１ないし請求項２に記載のプロテクター（１）を同一材料からなるシートで連続して形成した、ことを特徴とする医療用バッグ（１１）。
【発明の詳細な説明】
【０００１】
【産業上の利用分野】
本発明は、輸血・採血・輸液等に使用する医療用バッグ及び当該医療用バッグの輸血口（輸液口ともいう）を被覆するプロテクターの改良に関する。
【０００２】
【従来の技術】
例えば血液バッグに代表される医療用バッグは、図４に例示するように（例えば公知文献として（Ｄ１）特許第３１５３２７５号の図１参照）、可とう性の合成樹脂からなる二枚のシートを重ね合せて溶着することにより袋状のバッグ本体５２を形成し、当該バッグ本体５２の上部に、当該袋状本体５２と異なる部材より形成しかつ内部に輸血口５３を装填したプロテクター６１を装着している。
また現在使用されているプロテクター６１の形状は、例えば図５に例示するように（前記文献（Ｄ１）の図２から４参照）、プロテクター本体６２中腹部の斜段方向に線状の切欠溝６３を形成し、プロテクター本体６２の上側部に把持部６４を形成し、さらに切欠溝６３の破断開始点６３Ｉに隣接する把持部６４の下部ラインＵＬを、プロテクター本体６２の縦方向ラインＬに対して鋭角θ２となるように形成している。
【０００３】
【発明が解決しようとする課題】
前記医療用バッグ５１では、バッグ本体５２とプロテクター６１を異なる部材より形成しているので、部品点数が多くなり、製造工程が複雑になっていた。またバッグ本体５２の製袋時ないし製袋前に、プロテクター６１を可とう性の合成樹脂からなる二枚のシートの間に挟んで、溶着しなければならないので、プロテクター６１をバッグ本体５２に均一な形状でかつ画一的な位置に装着するのが困難であり、またバッグ本体５２に均一な強度で溶着することが困難であった。
また前記プロテクター６１では、把持部６４を指でつまんでプロテクター本体６２の斜断方向に引き上げると切欠溝６３の破断開始点６３Ｉから切欠溝６３の延長線に沿って亀裂が入り、これに沿って破断し、これにより輸血口５３を露出することができる。
しかしながら把持部６４の下部ラインＵＬを、プロテクター本体６２の縦方向ラインＬに対して鋭角θ２となるように形成しているので、未使用時に外力を受けた場合や、または取り扱い時に、極わずかな確率であるが切欠溝３の破断開始点３Ｉ付近で、亀裂及びシール破壊等が起こり、プロテクター６１内の無菌状態を維持することができなくなる場合があるので好ましくない。
そこで本発明者は以上の課題を解決するために鋭意検討を重ねた結果次の発明に到達した。
【０００４】
【課題を解決するための手段】
［１］本発明は、プロテクター本体（２）中腹部の斜断方向に破断開始点（３Ｉ）と破断終点（３Ｅ）を有する線状の切欠溝（３）を形成し、該切欠溝（３）よりも上側部に把持部（４）を形成し、該把持部（４）の下部に大アール部（Ｒ）と小アール部（ｒ）を形成し、該小アール部（ｒ）の開始点（ｒｉ）と終点（ｒｅ）の間に、前記破断開始点（３Ｉ）を形成した医療用バッグのプロテクター（１）を提供する。
［２］本発明は、プロテクター本体（２）中腹部の斜断方向に破断開始点（３Ｉ）と破断終点（３Ｅ）を有する線状の切欠溝（３）を形成し、該切欠溝（３）よりも上側部に把持部（４）を形成し、切欠溝（３）の開始点（３Ｉ）に隣接する把持部（４）の下部湾曲ライン（ＵＲＬ）の略直線部（ＬＬ）は、プロテクター本体（２）の縦方向ライン（Ｌ）に対して鈍角（θ１）となるように形成した医療用バッグのプロテクター（１）を提供する。
［３］本発明は、可とう性の合成樹脂からなる二枚のシートを重ね合せて溶着することにより形成され、バッグ本体（１２）と［１］ないし［２］に記載のプロテクター（１）を同一材料からなるシートで連続して形成した医療用バッグ（１１）を提供する。
【０００５】
【発明の実施形態】
図１は本発明のプロテクター１を装着した医療用バッグ１１の一例を示す概略図（図２は医療用バッグ１１の上部付近の拡大図）で、図３は本発明のプロテクター１の一例を示す概略図（（Ａ）は概略図、（Ｂ）は把持部４の下部湾曲ラインＵＲＬの略直線部ＬＬとプロテクター本体２の縦方向ラインＬとの関係を示す概念図）である。
本発明のプロテクター１は、図１から図３に例示するようにプロテクター本体２中腹部の斜断方向に破断開始点３Ｉと破断終点３Ｅを有する線状の切欠溝３を形成し、該切欠溝３よりも上側部に把持部４を形成し、該把持部４の下部に大アール部Ｒと小アール部ｒを連続して形成している。さらに切欠溝３の破断開始点３Ｉは、小アール部ｒの開始点ｒｉと終点ｒｅの間に形成される。
プロテクター１の開封に際しては、本体１２を保持してから把持部４を指でつまんでプロテクター本体２の斜断方向に対し、約９０°方向に引き上げると切欠溝３の破断開始点３Ｉから切欠溝３の延長線上に亀裂が入り、これが切欠溝３の延長線に沿って移行するので、これにより輸血口１８を露出することができる。切欠溝３の破断開始点３Ｉは、小アール部ｒの開始点ｒｉと終点ｒｅの間であれば、任意の位置に形成することができる。これらの位置に形成する限りは、小アール部ｒは、切欠溝３側に湾曲して窪んだ形状となっているので、ガイド溝の役割を果たし、把持部４よりプロテクター本体２の斜断方向に切欠溝３を破断する力を容易に伝達することができる。
【０００６】
なお本発明のプロテクター１は切欠溝３の破断開始点３Ｉに隣接する把持部４の下部湾曲ラインＵＲＬの略直線部分ＬＬは、プロテクター本体２の縦方向ラインＬに対して鈍角θ１となるように形成されているので、未使用時に外力を受けても下部湾曲ラインＵＲＬで分散することができるので、切欠溝３の破断開始点３Ｉ付近で亀裂が入ることがない。また取り扱い時にも、把持部４を指でつまんで引き上げない限りは、切欠溝３の破断開始点３Ｉ付近で、亀裂及びシール破壊がおきないので、プロテクター１内の無菌状態を終始維持することができる。
【０００７】
医療用バッグ１１は、図１、図２に例示するように可とう性の合成樹脂からなる二枚のシートを重ね合せて、溶着することにより形成され、バッグ本体１２と前記プロテクター１は、同一材料からなるシートで連続して形成されている。
バッグ本体１２の外縁は、周縁溶着部１３により溶着され、バッグ本体１２の上部には輸血口１８及び連結部材１４、１９の基部が上部溶着部１７により溶着されている。
さらに輸血口１８は、プロテクター１内に配置され、連結部材１４内には連通部材１５（連通ピースともいう）が配置され、連結部材１９には採血チューブ２０の後端が装着されている。
本発明の医療用バッグ１１は、バッグ本体１２と前記プロテクター１は、同一材料からなるシートで連続して形成されているので、プロテクター１をバッグ本体１２に均一な形状でかつ画一的な位置に装着でき、またバッグ本体１２に均一な強度で連続して装着することができる。
【０００８】
ところで医療用バッグ１１は、袋状に製袋後、袋状のバッグ本体１２の溶着ライン（周縁溶着部１３）からバッグ本体１２を二枚の可とう性シートから切り離す作業（トリミング）を行うが、トリミングはバッグ本体１２からプロテクター１方向に向けて行うので、従来のプロクテター６１では把持部６４の下部ラインＵＬを、プロテクター本体６２の縦方向ラインＬに対して鋭角θ２となるように形成してため、バッグ本体１２方向からプロテクター１方向に向けて作用する力が勢い余って切欠溝６３の破断開始点６３Ｉに集中しやすく、切欠溝６３の破断開始点６３Ｉから切欠溝６３に亘って亀裂が発生しやすいのに対して、本発明のプロクテター１ではトリミング時にバッグ本体１２方向からプロテクター１方向に向けて作用する力は、小アール部ｒで吸収緩和されて大アール部Ｒ方向へ緩やかに移行するので、切欠溝３の破断開始点３Ｉに力が集中することなく、トリミングをスムーズに行うことができる。
【０００９】
【発明の作用効果】
（１）本発明の医療用バッグ１１は、バッグ本体１２と前記プロテクター１は、同一材料からなるシートで連続して形成されているので、プロテクター１をバッグ本体１２に均一な形状でかつ画一的な位置に装着でき、またバッグ本体１２に均一な強度で連続して装着することができる。このため医療用バッグ１１の外観の仕上がりが画一的で極めて良好である。また採血した血液成分を遠心分離する際の耐遠心強度や耐衝撃強度が向上する。
（２）未使用時に外力を受けても下部湾曲ラインＵＲＬで分散することができるので、切欠溝３の破断開始点３Ｉ付近で亀裂が入ることがない。また取り扱い時にも、把持部４を指でつまんで引き上げない限りは、切欠溝３の破断開始点３Ｉ付近で、亀裂及びシール破壊がおきないので、プロテクター１内の無菌状態を終始維持することができる。
（３）本発明のプロテクター１はトリミング時にバッグ本体１２方向からプロテクター１方向に向けて作用する力は、小アール部ｒで吸収緩和されて大アール部Ｒ方向へ緩やかに移行するので、切欠溝３の開始点３Ｉに力が集中することなく、トリミングを安定して正確に画一的に行うことができる。
【図面の簡単な説明】
【図１】本発明の医療用バッグの概略図
【図２】図１の一部拡大図
【図３】本発明のプロテクターの概略図（（Ａ）は概略図、（Ｂ）は把持部４の下部湾曲ラインＵＲＬの略直線部分ＬＬとプロテクター本体２の縦方向ラインＬとの関係を示す概念図）
【図４】従来の医療用バッグの概略図
【図５】従来のプロテクターの概略図（（Ａ）は概略図、（Ｂ）は把持部６４の下部ラインＵＬとプロテクター本体６２の縦方向ラインＬとの関係を示す概念図）
【符号の説明】
１　　プロテクター
２　　プロテクター本体
３　　切欠溝
３Ｉ　　破断開始点
３Ｅ　　破断終点
４　　把持部
Ｒ　　大アール部
ｒ　　小アール部
ｒｉ　　小アール部ｒの開始点
ｒｅ　　小アール部ｒの終点
１１　　医療用バッグ
１２　　バッグ本体
１３　　周縁溶着部
１４　　連結部材
１５　　連通部材
１６　　連結チューブ
１７　　上部溶着部
１８　　輸血口
１９　　連結部材
２０　　採血チューブ
ＵＲＬ　　下部湾曲ライン
【図１】
2004016684.tif 000003
【図２】
2004016684.tif 000004
【図３】
2004016684.tif 000005
【図４】
2004016684.tif 000006
【図５】
2004016684.tif 000007